(57)【要約】【課題】不特定多数の利用者に対して、受付と同時に発生する個別の情報をダウンロードでき、第３者にアクセスを許可しない環境を容易に構築すること。【解決手段】インターネットを利用した情報提供方法であって、ＰＣ（１０３ａ）の受付信号を情報提供サーバ（１００）が受信（５０１）すると、利用者の情報を保管する新規ディレクト名を生成（５０２）し、新規ディレクトリを作成（５０３）し、利用者ユーザＩＤ・パスワードを生成し（５０４）、新規ディレクトリにアクセス権を設定（５０５）し、設定情報をＰＣ（１０３ａ）に送信（５０６）する。このため、不特定多数の利用者に対し、受付と同時に発生する第３者がアクセスできない個別の情報を提供する仕組みを容易に提供できる。【選択図】　図５
2004127221.tif 000002
【特許請求の範囲】
【請求項１】
利用者にインターネットを通じて、情報を提供する情報提供方法であって、
クライアント端末上で、操作者あるいは利用者によって受付操作を行い、前記受付操作による受付信号をサーバが受信することにより利用者がインターネットから閲覧可能なフォルダを自動生成し、前記フォルダのインターネットからの閲覧を制限するためのパスワードを自動生成し、前記フォルダへ前記パスワードによるアクセス制限を設定し、利用者が利用できるインターネットに接続可能な情報端末から前記フォルダに接続し、パスワードを入力することにより前記フォルダ内に保存されている利用者向けの情報を閲覧することを特徴とする情報提供方法。
【請求項２】
利用者が情報閲覧の際に必要な前記自動生成されたフォルダのインターネット上のアドレスと、前記自動生成されたパスワードが、前記クライアント端末に接続された印刷装置から印刷されることを特徴とする請求項１記載の情報提供方法。
【請求項３】
前記フォルダ内の情報閲覧が所定の回数に達した場合、前記フォルダ及び前記フォルダ内の情報を削除することを特徴とする請求項１記載の情報提供方法。
【請求項４】
前記フォルダが自動生成されてから一定期間が経過した場合、前記フォルダ及び前記フォルダ内の情報を削除することを特徴とする請求項１記載の情報提供方法。
【発明の詳細な説明】
【発明の属する技術分野】
本発明は、インターネットを利用した情報提供方法に係り、特に、多数の利用者に関する情報が登録され、登録された情報を閲覧する場合、情報の所有者あるいは主たる利用者のみ閲覧可能とする制限を設け、他の利用者の情報が閲覧できないとともに、他の利用者からも情報を閲覧されないようにしたインターネットを利用した情報提供方法に関する。
【従来の技術】
近年、インターネットを利用して、情報を提供するサービスが増大しております。インターネット上で提供されている情報は、閲覧を限定しない場合と閲覧を限定している場合に分けられます。閲覧を限定していない場合は、情報が掲載されているＷｅｂページ固有のインターネット上のアドレスであり、情報を閲覧するときに必要なＵＲＬ（Ｕｎｉｆｏｒｍ　Ｒｅｓｏｕｒｃｅ　Ｌｏｃａｔｏｒｓ）を知っている、あるいはインターネット検索サービスやそのＷｅｂページに関連付けられているＷｅｂページから、すべての利用者が、その情報を閲覧することが可能です。一方、閲覧を制限している場合は、閲覧が許可されている利用者は、閲覧前にパスワード等の閲覧に必要な情報を事前に知る必要があります。
通常、閲覧が制限されている場合は、閲覧の制限に用いる方法として、まず、閲覧が許可された利用者に対して、閲覧に必要な共通のパスワードを発行する方法があります。この方法は、共通のパスワードを用いているため、利用者ごとの閲覧制限が不可能であり、多くの利用者が共通のパスワードを知っていることから許可されている利用者以外にもパスワードが漏れる可能性があり、厳密な閲覧制御が難しい方法です。一方、閲覧が許可された利用者を個別に管理したり、閲覧制御を厳密に行いたい場合は、個別の会員ＩＤとパスワードによって、閲覧管理を行います。多くの会員制のウェブサイトは、この方法で閲覧管理を行っています。
【発明が解決しようとする課題】
しかしながら、これらのパスワードなどによる閲覧制限は、継続的な閲覧を前提としています。一方、一時的に閲覧制限が必要な場合であって、利用者が非常に多い場合には、閲覧フォルダの作成やＩＤ及びパスワードの発行を円滑に行う必要があります。この場合、一時的に多くの利用者に対し個別に閲覧制限を行うので、一般的にＩＤ及びパスワード発行時に行われているような個人情報の入力は、入力に必要以上の時間がかかる事、入力された個人情報の管理や、利用者の個人情報の入力に抵抗感によって思ったように利用者を集められないといった問題があります。
この発明は、上述の問題点を解決するためになされたもので、この発明の目的は、利用者から利用の希望があった時、インターネットから閲覧が可能である利用者別に閲覧を制限したフォルダを自動生成することにより、利用者が自分向けの情報を他者に対して閲覧を制限した状態で閲覧できる情報提供方法である。
【課題を解決するための手段】
上述の目的を達成するためにこの発明によれば、インターネットを利用した情報提供方法は、クライアント端末上で、操作者あるいは利用者によって受付操作を行い、前記受付操作による受付信号をサーバが受信することにより利用者がインターネットから閲覧可能なフォルダを自動生成し、そのフォルダのインターネットからの閲覧を制限するためのパスワードを自動生成し、そのフォルダへパスワードによるアクセス制限を設定する。その結果、利用者が利用できるインターネットに接続可能な情報端末からフォルダに接続し、パスワードを入力することによりフォルダ内に保存されている利用者向けの情報を閲覧することができる情報提供方法を提供することができる。
好ましくは、利用者が情報閲覧の際に必要な自動生成されたフォルダのインターネット上のアドレスと、自動生成されたパスワードが、クライアント端末に接続された印刷装置から印刷される。
好ましくは、フォルダ内の情報閲覧が所定の回数に達した場合、フォルダ及びフォルダ内の情報を削除する。
好ましくは、フォルダが自動生成されてから一定期間が経過した場合、フォルダ及びフォルダ内の情報を削除する。
【発明の実施の形態】
以下、本発明の実施の形態について図面を参照して説明する。
図１は、本発明の実施の形態におけるインターネットを利用した情報提供方法の概要を示す図である。
図１において、利用者に情報を提供する情報提供サーバ１００はインターネット１０１に接続され、一方、利用者に提供する情報を作成する店舗Ａ１０２ａ、店舗Ｂ１０２ｂ、店舗Ｃ１０２ｃ、店舗Ｄ１０２ｄには、情報を加工し、情報を情報提供サーバ１００に送信するためインターネット１００に接続されたパーソナルコンピュータ（ＰＣ）１０３ａ、１０３ｂ、１０３ｃ、１０３ｄがそれぞれ設置されている。そして、利用者は、携帯情報端末１０４を利用して情報提供サーバ１００にアクセスし、情報を取得することができるようになっている。
また、図２に示すように店舗Ａ１０２ａには、ＰＣ１０３ａのほかに、利用者の動画像を撮影するカメラ２０１ａ、カメラ２０１ａの画像データと他の動画像データを合成する画像処理装置２０２ａが設置されており、画像処理装置２０２ａは、カメラ２０１ａの出力画像データが受信できるよう、ケーブル２０３ａで接続されており、更に、合成された画像をＰＣ１０３ａに送信できるようケーブル２０４ａでＰＣ１０３ａと接続されている。ＰＣ１０３ａには、利用者にアクセスに必要な情報を提供するためプリンタ２０５ａが接続されている。他の店舗１０２ｂ、１０２ｃ、１０２ｄも同様の設備が備えられている。
以下に、図１、図２および図３を参照しながら、情報提供方法の概要を説明する。まず利用者は、店舗Ａ１０２ａにて、カメラ２０１ａで撮影をされる。撮影された画像データは、カメラ２０１ａから、画像処理装置２０２ａにケーブル２０３ａを介して送られる。一方撮影終了後、ＰＣ１０３ａを操作することにより、画像処理装置２０２ａにて処理された利用者が撮影された合成画像を、利用者がダウンロードなどによって入手するときに必要な情報が記載されている図３に示す用紙３０１がプリンタ２０５ａから印刷される。用紙３０１には、動画像をダウンロードなどによって入手するときに必要なＵＲＬ３０２、ＩＤ３０３及びパスワード３０４が記載されている。通常、このあとで述べる利用者が撮影された動画像と他の動画像の合成作業に３０分程度かかることから、利用者は、この用紙３０１の記載内容を参考に、撮影終了後３０分以上経過してから自分が撮影されている合成動画像をダウンロードして入手する。
次に、画像処理装置２０２ａを用いて、利用者が撮影された動画像と他の動画像の合成作業を行い、作成された合成画像はケーブル２０４ａを介してインターネット１０１に接続されたＰＣ１０３ａに送られる。ＰＣ１０３ａに送られた合成画像は、携帯情報端末で閲覧できるファイル形式に変換された後、情報提供サーバ１００に設定されている用紙３０１記載のＵＲＬ３０２に相当する保管場所に送信される。
そして、利用者は、携帯情報端末を用いて、前述したように用紙３０１に記載されているＵＲＬ３０２が割り当てられている情報提供サーバ１００にアクセスし、ＩＤ３０３およびパスワード３０４を入力することによりユーザ認証を受けて、利用者自身が撮影されている合成動画像をダウンロードして入手する。
ここで、利用者が撮影されている合成動画像を保管するＵＲＬ、ＩＤおよびパスワードについて詳述する。
ＵＲＬ、ＩＤおよびパスワードの割り当ては、情報提供サーバ１００上で動作するプログラムが実行されることにより行われ、プログラムは、各店舗のＰＣから実行させることが出来る。このプログラムは、Ｗｅｂアプリケーションであり、各店舗のＰＣからは、Ｗｅｂブラウザを通じて利用する。
店舗Ａ１０２ａを例に、ＰＣ１０３ａの画面上に表示されている図４に示すＷｅｂブラウザ画面４０１内の受付ボタン４０２をクリックする。これにより、店舗ＡのＰＣ１０３ａでの受付信号が、情報提供サーバ１００に送信される。情報提供サーバ１００が受付信号を受信することにより、ＵＲＬ、ＩＤおよびパスワードの割り当てが開始される。
情報提供サーバ１００でのＵＲＬ、ＩＤおよびパスワードの割り当てについて、図５を用いて説明する。
まず、情報提供サーバ１００は、ＰＣ１０３ａより受付信号を受信５０１する。次に、情報提供サーバ１００のインターネットに公開しているディレクトリの中の所定の位置に新規ディレクトリを作成するために、新規ディレクトリ名を生成５０２する。この新規ディレクトリ名は、店舗名や受付日時から自動的に生成されるので、利用者の個人情報などを受付時に収集する必要がない。図３のＵＲＬ３０２を例にすれば、新規ディレクトリ名は、０ａ０２１０１０である。
そして、生成された新規ディレクトリ名で、新規ディレクトリを作成５０３する。新規ディレクトリが作成される場所は、ＵＲＬ３０２を参考にすると情報提供サーバ１００に割り当てられているドメインは、ｈｔｔｐ：／／ｗｗｗ．ａａａａ．ｃｏ．ｊｐであり、そして店舗ごとにディレクトリを別にしており、店舗Ａ１０２ａの利用者の合成画像が保存されるのは、ＵＲＬ３０２より、ｈｔｔｐ：／／ｗｗｗ．ａａａａ．ｃｏ．ｊｐ／ｔｅｎｐｏａ／である。このディレクトリの中に新規ディレクトリが作成され、ＵＲＬは、ｈｔｔｐ：／／ｗｗｗ．ａａａａ．ｃｏ．ｊｐ／ｔｅｎｐｏａ／０ａ０２１０１０／となる。この新規ディレクトリに合成動画像がＰＣ１０３ａより送信され、保管される。
次に、新規ディレクトリにアクセスするために必要なアクセス権を設定する。この新規ディレクトリにアクセスが許可されるユーザは、読み取り、書き込み、削除などのすべての権限を有する管理者ユーザ、合成動画像を書き込むための書き込み権限と不要になったときにディレクトリやファイルを削除する権限を有する作業者ユーザ、および、利用者が自分が撮影されている合成画像をダウンロードなどで入手するときに必要な利用者ユーザである。このとき、管理者ユーザおよび作業者ユーザは、事前に決定しており、利用者ユーザだけが、ディレクトリを新規に作成する毎に必要になる。そこで、新規ディレクトリ名と同様に利用者ユーザのＩＤ及びパスワードが生成５０４される。
そして、新規ディレクトリに前述した管理者ユーザ、作業者ユーザ、利用者ユーザのアクセス権を設定５０５する。
これで、新規ディレクトリを作成し、利用者がアクセスできる環境が整ったわけであるが、利用者がアクセスに必要な情報を得るために情報提供サーバ１００のプログラムで生成された、ＵＲＬ、ＩＤおよびパスワードを、受付信号を送信したＰＣ１０３ａにＷｅｂブラウザで表示できるデータとして送信５０６する。受付信号を送信したＰＣ１０３ａでは、図６に示すように、Ｗｅｂブラウザ画面６０１に前述の情報が表示され、印刷ボタン６０２をクリックすることで、図３に示す用紙３０１がプリンタ２０５ａから印刷されます。
このようにして、複数の店舗からの合成動画像を情報提供サーバ１００に送信し、一方、利用者はアクセス権を有しない第３者に自分が撮影された合成動画像を見られることなく、ダウンロードすることができます。
更に、一度作成された利用者ユーザの合成動画像が保管されているディレクトリは、利用者数と同数作成されますので、非常に多数になり、また、記憶媒体の容量を圧迫する要因にもなります。そこで、一旦作成された利用者ユーザの合成動画像が保管されているディレクトリおよび合成動画像は、一定期間、例えば５日間経過後自動的に削除されるようにする。これにより、無限にディレクトリが増加したり、記憶媒体の容量を圧迫しつづけることを防ぐことが出来ます。また、ディレクトリおよび合成動画像の削除を期間ではなく、アクセス回数によって決定しても良い。このときは、同一ＩＤによる認証回数をカウントし、例えば、３回目の認証後、ダウンロードが終了する時間を考慮し、３回目の認証から１時間後にディレクトリおよび合成動画像を削除する。
【発明の効果】
本発明によれば、不特定多数の利用者に対しダウンロードなどが必要となる情報を提供するとき、その情報を入手するためのアクセス環境が、第３者に許可しない状態で、構築することができ、また、この環境構築に関して、利用者の個人情報を収集する必要もないので、利用者の心理的抵抗感を除去することもできる。更に、これまで手作業が多かったこのようなアクセス権の設定作業の自動化により、より多くの利用者に対し、機密性を確保した情報提供が容易にできる。
【図面の簡単な説明】
【図１】本発明の実施の形態における情報提供システムの概要を示す図である。
【図２】図１の店舗Ａの具体的構成を示す図である。
【図３】アクセス情報が記載されたプリントされた用紙を示す図である。
【図４】受付画面の具体例を示す図である。
【図５】利用者アクセス環境の構築動作の流れを示すフローチャートである。
【図６】印刷画面の具体例を示す図である。
【符号の説明】
１００　情報提供サーバ、１０１　インターネット、１０２ａ　店舗Ａ、１０３ａ　ＰＣ、２０１ａ　カメラ、２０２ａ　画像処理装置、２０５ａ　プリンタ、３０１　用紙、３０２　ＵＲＬ、３０３　ＩＤ、３０４　パスワード
【図１】
2004127221.tif 000003
【図２】
2004127221.tif 000004
【図３】
2004127221.tif 000005
【図４】
2004127221.tif 000006
【図５】
2004127221.tif 000007
【図６】
2004127221.tif 000008